(57)【要約】【課題】計器の取り替え時等に新たな計器に対し設定する情報を誤設定なく効率的に設定できること。【解決手段】端末装置１０３は、新たに設置する計器ＫＭに対して設定する設定情報を入力する入力手段と、入力された設定情報を計器ＫＭの計器情報とともに保持する記憶手段とを備え、記憶手段に記憶された設定情報および計器情報を、計器ＫＭに対する計器設定時に読み出し、計器ＫＭに対して設定用の情報としてケーブル１０４を介して出力する。設定情報は、所定形式の計器取替票ＰＴの所定欄に埋め込み印刷出力される。【選択図】図３
2009150766.tif 000002
【特許請求の範囲】
【請求項１】
新たに設置する計器に対して設定する設定情報を入力する入力手段と、
入力された前記設定情報を前記計器の計器情報とともに保持する記憶手段と、
前記記憶手段に記憶された設定情報および計器情報を、前記計器に対する計器設定時に読み出し、前記計器に対して設定用の情報として出力する出力手段と、
前記設定情報を所定形式の計器取替票の所定欄に埋め込み印刷出力する印刷出力手段と、
を備えることを特徴とする計器設定装置。
【請求項２】
前記入力手段には、前記設定情報の変更があった都度、新たな設定情報が入力され、前記記憶手段に更新して保持されることを特徴とする請求項１に記載の計器設定装置。
【請求項３】
前記出力手段は、前記計器とケーブル接続され、当該ケーブルの接続時に前記記憶手段に記憶された設定情報および計器情報を読み出し、前記計器に対して設定用の情報として出力することを特徴とする請求項１または２に記載の計器設定装置。
【請求項４】
前記請求項１〜３のいずれか一つに記載の計器設定装置と、
前記計器設定装置とネットワークを介して接続され、前記計器毎の設定情報および計器情報をデータベースに保持する計器情報管理装置と、
を備えたことを特徴とする計器設定システム。
【請求項５】
コンピュータを、
新たに設置する計器に対して設定する設定情報を入力する入力手段、
入力された前記設定情報を前記計器の計器情報とともに保持する記憶手段、
前記記憶手段に記憶された設定情報および計器情報を、前記計器に対する計器設定時に読み出し、前記計器に対して設定用の情報として出力する出力手段、
前記設定情報を所定形式の計器取替票の所定欄に埋め込み印刷出力する印刷出力手段、
として機能させることを特徴とする計器設定プログラム。
【発明の詳細な説明】
【技術分野】
【０００１】
この発明は、電力量計等の計器の取り替え時に新たな計器に対して情報を設定する発明にかかり、特に、計器の取り替え等の指示を行う営業課等の部門と、計器を実際に取り扱う配電課等の異なる部門の間で情報を適切に処理することにより、計器に対して適切な情報を設定できる計器設定装置、計器設定システムおよび計器設定プログラムに関する。
【背景技術】
【０００２】
従来、電力を使用する契約者が契約種別等を変更すると、設置されている電力量計等の計器を新たな契約に対応したものに取り替えるようになっている。図８は、従来の計器取り替えの手順を示す図である。ここでは、高圧契約への切替時の手順を例に説明する。計器取り替え時には、図枠の中央部を境に上半部に示した部門（営業課）と、下半部に示した他の部門（配電課）とが共同して作業を遂行するようになっている。また、図枠の横には、それぞれの作業（準備処理、計器設定処理、事務整理）が並んでおり、この手順で作業が遂行される。
【０００３】
準備処理では、まず、営業課（担当者）が管理システムに接続されている端末装置等を使用して計器取替票出力指示を行い（ステップＳ１００１）、計器取替票ＰＴを印刷出力する。図９は、従来の計器取替票を示す図である。端末装置から入力される情報に基づき、計器取替票ＰＴには、契約者の情報、使用場所、計器仕様等が印字される。この印字された計器取替票ＰＴには、手書き記入用の営業課記入欄１１１１と、配電課記入欄１１１２とが設けられている。
【０００４】
営業課では、印字出力後の計器取替票ＰＴの営業課記入欄１１１１に予定契約種別、工事日（異動日、図９にはこれが変更希望日として記入されている）、補足事項等を手書きで記入してから（ステップＳ１００２）、配電課へこの計器取替票ＰＴを渡し、計器手配を依頼している（ステップＳ１００３）。この後、配電課では、計器取替票ＰＴに基づいて計器ＫＭを手配する（ステップＳ１００４）。この後、配電課は、用意した計器ＫＭの設定を営業課に依頼する（ステップＳ１００５）。
【０００５】
この後、計器設定処理が行われ、営業課では、計器ＫＭに対する計器設定を行う（ステップＳ１００６）。具体的には、計器設定用のハンディターミナルＨＴを計器ＫＭにケーブルＬで接続し、設定情報を計器ＫＭに設定する。この設定情報としては、ハンディターミナルＨＴが有しているカレンダー情報（時刻等）を計器ＫＭに転送する。また、ハンディターミナルＨＴを操作して、計器取替票ＰＴに記入されている基準検針日、計器型式等を計器ＫＭに設定する。そして、配電課では、設定された計器ＫＭを設置場所に搬送して計器の取り付けを行う（ステップＳ１００７）。
【０００６】
この計器の設置後には、事務整理が行われ、計器取替票ＰＴの配電課記入欄１１１２に計器情報を記入する（ステップＳ１００８）。計器情報としては、図９に示すように、取り替え前後の計器（取除計器および取付計器）の指示数値等である。この後、計器取替票ＰＴは営業課に回付され（ステップＳ１００９）、営業課では、計器取替票ＰＴを管理システムに通知し（ステップＳ１０１０）、一連の処理を終了する。
【０００７】
そして、このような計器の取り替えに関する処理を管理するシステムが提案されている（たとえば、下記特許文献１参照。）。この技術では、顧客毎の計器の有効時期を管理し、計器を取り替える作業員の移動を効率化できる。
【０００８】
【特許文献１】特開２００５−１８１２３０号公報
【発明の開示】
【発明が解決しようとする課題】
【０００９】
しかしながら、従来の図８に示した管理処理では、以下の問題があった。準備処理では、計器取替票ＰＴの出力後に、この計器取替票ＰＴの営業課記入欄１１１１に手書きで予定契約種別、工事日、補足事項等を記入しているため、処理システム側ではこの営業課記入欄１１１１に記入された項目があっても直ぐに知ることができず、最も遅いと事務整理の通知（ステップＳ１０１０）のときとなる。
【００１０】
計器設定処理では、計器設定（ステップＳ１００６）を行うまでの期間、すなわち、計器取替票ＰＴが出力指示（ステップＳ１００１）された以降の期間において、計器ＫＭに設定する計器情報や、契約種別の変更等があっても、この変更を知ることができず、変更前の情報で計器設定を行い、設定誤りが生じた。また、営業課の担当者が計器取替票ＰＴを目視で見て必要な設定情報をハンディターミナルＨＴを操作して設定指示していたため、設定誤りが生じた。計器ＫＭは、型式等によりそれぞれ異なるため、設定操作も計器ＫＭ毎に異なり設定誤りを生じやすい。
【００１１】
また、準備処理〜計器設定処理〜事務処理の全体において、配電課側では計器ＫＭの取り付け作業だけでは済まずに、計器取替票ＰＴの内容チェックを行う必要があったため、回付（ステップＳ１００９）するまでに時間がかかり、回付遅延が生じる。この場合、設置後であっても料金徴収が可能となるまでに時間がかかり早期料金化できない。
【００１２】
ところで、上記特許文献１に記載の技術は、計器自体の設置に関する効率化を図るものであり、計器設定の処理を効率化することはできない。
【００１３】
この発明は、上述した従来技術による問題点を解消するため、計器の取り替え時等に新たな計器に対し設定する情報を誤設定なく適切に設定することができる計器設定装置、計器設定システムおよび計器設定プログラムを提供することを目的とする。
【課題を解決するための手段】
【００１４】
上述した課題を解決し、目的を達成するため、この発明にかかる計器設定装置は、新たに設置する計器に対して設定する設定情報を入力する入力手段と、入力された前記設定情報を前記計器の計器情報とともに保持する記憶手段と、前記記憶手段に記憶された設定情報および計器情報を、前記計器に対する計器設定時に読み出し、前記計器に対して設定用の情報として出力する出力手段と、前記設定情報を所定形式の計器取替票の所定欄に埋め込み印刷出力する印刷出力手段と、を備えることを特徴とする。
【００１５】
また、この発明は、前記入力手段には、前記設定情報の変更があった都度、新たな設定情報が入力され、前記記憶手段に更新して保持されることを特徴とする。
【００１６】
また、この発明は、前記出力手段は、前記計器とケーブル接続され、当該ケーブルの接続時に前記記憶手段に記憶された設定情報および計器情報を読み出し、前記計器に対して設定用の情報として出力することを特徴とする。
【００１７】
また、この発明の計器設定システムは、前記の計器設定装置と、前記計器設定装置とネットワークを介して接続され、前記計器毎の設定情報および計器情報をデータベースに保持する計器情報管理装置と、を備えたことを特徴とする。
【００１８】
また、この発明の計器設定プログラムは、コンピュータを、新たに設置する計器に対して設定する設定情報を入力する入力手段、入力された前記設定情報を前記計器の計器情報とともに保持する記憶手段、前記記憶手段に記憶された設定情報および計器情報を、前記計器に対する計器設定時に読み出し、前記計器に対して設定用の情報として出力する出力手段、前記設定情報を所定形式の計器取替票の所定欄に埋め込み印刷出力する印刷出力手段、として機能させることを特徴とする。
【００１９】
上記構成の計器設定装置は、たとえば営業課の端末装置として配置され、入力手段から入力された設定情報は、記憶手段に記憶され、計器設定時に読み出して計器に出力される。印刷出力された計器取替票は、機器を取り付ける他の部門、たとえば配電課の担当者に渡され、設置業務を円滑に遂行した後に営業課に回付される。これにより、複数の部署が連携して業務を遂行する処理課程における設定情報の誤設定を防止し、計器に適切な設定情報を設定できるようになる。
【発明の効果】
【００２０】
本発明によれば、計器の取り替え時等に新たな計器に対し設定する情報を誤設定なく効率的に設定することができるという効果を奏する。
【発明を実施するための最良の形態】
【００２１】
以下に添付図面を参照して、この発明にかかる計器設定装置、計器設定システムおよび計器設定プログラムの好適な実施の形態を詳細に説明する。
【００２２】
（実施の形態）
（計器設定システムの全体構成）
図１は、この発明による計器設定システムの全体構成を示す図である。計器設定システム１００は、計器情報管理装置１０１と、計器情報管理装置１０１とネットワーク１０２を介してオンライン接続される端末装置１０３と、端末装置１０３にケーブル１０４を介して接続される計器ＫＭとによって構成されている。端末装置１０３と計器ＫＭとの間はケーブル１０４接続時にオフライン接続される。
【００２３】
計器情報管理装置１０１は、取り替え等を行う上記の計器ＫＭに対する設定情報と、計器情報とをデータベースＤＢに格納し、管理している。端末装置１０３は、上記の営業課に配置され、取り替え等を行う上記の計器ＫＭに対して計器情報管理装置１０１から得た設定情報を出力するとともに、計器ＫＭからはこの計器ＫＭに保持されている計器情報を取得して計器情報管理装置１０１に出力する。この端末装置１０３では、計器情報管理装置１０１に管理されている計器ＫＭの情報を閲覧および編集加工することができるようになっている。
【００２４】
以下の説明では、この発明の計器設定装置は、直接、計器ＫＭと接続される端末装置１０３であるものとして説明するが、これに限らず、計器ＫＭには直接接続されず、計器ＫＭおよび端末装置１０３からみてシステム側に位置する計器情報管理装置１０１についても同様にこの発明の計器設定装置として扱うことができる。
【００２５】
図２は、計器取替票作成時に端末装置に表示される情報を示す図である。営業課では、顧客からの電話連絡等を受けて、該当する顧客の現在の計器情報を計器情報管理装置１０１から取得する。この表示画面２００の情報は、計器情報管理装置１０１のデータベースＤＢに格納されており、端末装置１０３が要求して取得し、表示したものである。
【００２６】
この表示画面２００の上半部には、該当する顧客の契約番号（５１２０−５５５５５５５５−１）、名前、住所、現在契約している契約種別（業務用電力）、計器情報が表示されている。また、下半部には、営業課にて入力する入力項目２１０が表示される。入力項目２１０としては、施工種別と、契約種別変更希望日と、予定契約種別と、連絡事項が用意されている。そして、図示の例では、端末装置１０３を操作して、施工種別の項目として契約種別変更を選択し、契約種別変更希望日の項目に１０月７日を入力し、予定契約種別の項目に２３（業務用高負荷ＴＯＵに該当）を入力し、連絡事項に「訪問時間を事前に電話連絡要」を入力したものである。
【００２７】
端末装置１０３で入力されたこの入力項目２１０は、端末装置１０３の記憶部に格納される。この記憶部では、図２の表示画面に表示されている情報を更新自在に保持する。また、この入力項目２１０は、端末装置１０３から出力され、計器情報管理装置１０１に記録され、計器情報管理装置１０１では、契約種別変更に関する最新の情報（予定異動）を管理することができるようになる。なお、従来と比較すると、この入力項目２１０が従来は手書きであり、端末装置１０３および計器情報管理装置１０１がリアルタイムに管理していない点が相違している。
【００２８】
図３は、本発明による計器取り替えの手順を示す図である。図３は、従来の図８と同様に縦方向に部門（営業課、配電課）を記載し、横にそれぞれの作業（準備作業、計器設定処理、事務整理）を並べて記載してある。準備処理では、営業課（担当者）が計器情報管理装置１０１に接続されている端末装置１０３を使用して計器取替票作成の画面を操作し（図２参照）、入力項目２１０を入力してから計器取替票出力指示を行い（ステップＳ３０１）、計器取替票ＰＴを印刷出力する。
【００２９】
図４は、この発明による計器取替票を示す図である。この図に示す計器取替票ＰＴの上半部の項目は、上述した従来の計器取替票と同じ内容である。また、配電課記入欄１１１２の手書き入力についても同様に手書きである。しかし、営業課記入欄１１１１の部分については、手書きではなく、図２に示した入力項目２１０で入力された各項目（予定契約種別、希望変更日（工事日）、補足事項等）が既に端末装置１０３（および計器情報管理装置１０１）に設定されている情報であるため、これらがこの部分に埋め込まれる形で配置されて印刷出力され、改めて手書きする必要がない状態となっている。
【００３０】
図３に戻り説明すると、営業課では、印字出力後の計器取替票ＰＴをそのまま配電課へ渡し、計器手配を依頼する（ステップＳ３０２）。この後、配電課では、計器取替票ＰＴに基づいて計器ＫＭを手配する（ステップＳ３０３）。この後、配電課は、用意した計器ＫＭの設定を営業課に依頼する（ステップＳ３０４）。
【００３１】
この後、計器設定処理が行われ、営業課では、計器ＫＭに対する計器設定を行う（ステップＳ３０５）。具体的には、端末装置１０３にケーブル１０４を接続し、設定情報を計器ＫＭに設定する。この際、端末装置１０３の記憶部に格納されている設定情報と計器情報とが読み出され、ケーブル１０４を介して計器ＫＭに転送される。
【００３２】
図５は、計器設定時に端末装置に表示される情報（その１）を示す図である。図５の表示画面５００上で、項目３．計量器設定指示を選択することにより、端末装置１０３から計器設定が行えるようになっている。この設定情報としては、図５の画面では、まず契約番号と、契約種別（新）が設定可能となっている。これら契約番号および契約種別は、図２に示した計器取替票作成時に入力された項目であり、この情報が計器ＫＭに転送される。また、端末装置１０３（計器情報管理装置１０１）が有しているカレンダー情報（時刻等）が計器ＫＭに転送される。このため、計器設定時には、特に操作を行わずとも、既に設定されている情報を端末装置１０３から転送するだけで計器設定できるようになっており、設定間違いを防止できる。
【００３３】
ここで、特に、ステップＳ３０１における計器取替票ＰＴの印刷出力後に、計器情報に変更が生じた場合には、このステップＳ３０１において、端末装置１０３上で入力項目２１０での変更入力を行い、再度計器取替票ＰＴを印刷出力する。このとき、変更された情報は、オンラインで計器情報管理装置１０１にも出力されており、該当する計器のデータベースＤＢが更新されており、設定情報を常に適性に維持できる。
【００３４】
図６は、計器設定時に端末装置に表示される情報（その２）を示す図である。図５の表示画面５００の設定後、図６の詳細な確認画面６００が表示される。この確認画面では、図２に示した計器取替票作成時に入力された項目（契約番号、名前、契約種別、予定異動日）が表示され、予め定められた確認コードの入力で確認できるようになっている。図６の表示を確認することで該当する計器ＫＭが正しいものであるか確認できる。
【００３５】
図５および図６に示した処理では、システム側である端末装置１０３から計器ＫＭへの計器設定であるが、この際、端末装置１０３は、計器ＫＭからこの計器ＫＭに固有の計器情報（たとえば、契約種別や型式等）を取得することができる。この計器情報を取得することにより、端末装置１０３（計器情報管理装置１０１）では、計器設定を行った際の計器ＫＭが適合したものであるか判別でき、不適合であれば画面や音でアラームを報知し、誤設定を防止することもできる。
【００３６】
図３に戻り説明すると、計器設定（ステップＳ３０５）の後、配電課では、設定された計器ＫＭを設置場所に搬送して計器の取り付けを行う（ステップＳ３０６）。
【００３７】
この計器の設置後には、事務整理が行われ、計器取替票ＰＴの配電課記入欄１１１２に取除指示数等の計器の入れ替えの情報を記入する（ステップＳ３０７）。具体的には、図４に示した、取り替え前後の計器（取除計器および取付計器）の指示数値等を記入する。この後、計器取替票ＰＴは営業課に回付され（ステップＳ３０８）、営業課では、計器取替票ＰＴに記入された情報を端末装置１０３にオンライン通知（入力）し（ステップＳ３０９）、一連の処理を終了する。
【００３８】
上記構成によれば、電子データである設定情報や計器情報は、全て営業課側で管理し、計器を現場で設置する配電課では電子データを扱う必要がないとともに、計器取替票ＰＴが最新のものであるため、計器取替票ＰＴの記載事項を信頼して計器ＫＭを効率的に設置できるようになる。
【００３９】
（計器設定装置のハードウェア構成例）
つぎに、計器設定装置のハードウェア構成について説明する。図７は、この発明による計器設定装置のハードウェア構成を示すブロック図である。図７に記載した構成は、図１に記載の端末装置１０３の構成である。計器設定装置としての端末装置１０３は、ＣＰＵ７０１と、ＲＯＭ７０２と、ＲＡＭ７０３と、ＨＤＤ（ハードディスクドライブ）７０４と、ＨＤ（ハードディスク）７０５と、ＦＤＤ（フレキシブルディスクドライブ）７０６と、着脱可能な記録媒体の一例としてのＦＤ（フレキシブルディスク）７０７と、ディスプレイ７０８と、Ｉ／Ｆ（インターフェース）７０９と、キーボード７１０と、マウス７１１と、スキャナ７１２と、プリンタ７１３と、を備えている。また、各構成部はバス７００によってそれぞれ接続されている。
【００４０】
ここで、ＣＰＵ７０１は、端末装置１０３の全体の制御を司る。ＲＯＭ７０２は、ブートプログラムなどのプログラムを記憶している。ＲＡＭ７０３は、ＣＰＵ７０１のワークエリアとして使用される。ＨＤＤ７０４は、ＣＰＵ７０１の制御にしたがってＨＤ７０５に対するデータのリード／ライトを制御する。ＨＤ７０５は、ＨＤＤ７０４の制御で書き込まれたデータを記憶する。
【００４１】
ＦＤＤ７０６は、ＣＰＵ７０１の制御にしたがってＦＤ７０７に対するデータのリード／ライトを制御する。ＦＤ７０７は、ＦＤＤ７０６の制御で書き込まれたデータを記憶したり、ＦＤ７０７に記憶されたデータを端末装置１０３に読み取らせたりする。
【００４２】
また、着脱可能な記録媒体として、ＦＤ７０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリーカードなどであってもよい。ディスプレイ７０８は、カーソル、アイコンあるいはツールボックスをはじめ、文書、画像、機能情報などのデータを表示する。このディスプレイ７０８は、たとえば、ＣＲＴ、ＴＦＴ液晶ディスプレイ、プラズマディスプレイなどを採用することができる。
【００４３】
Ｉ／Ｆ７０９は、通信回線を通じてインターネットなどのネットワーク１０２に接続され、このネットワーク１０２を介して上記の計器情報管理装置１０１に接続される。そして、Ｉ／Ｆ７０９は、ネットワーク１０２と内部のインターフェースを司り、外部装置からのデータの入出力を制御する。Ｉ／Ｆ７０９には、たとえば、モデムやＬＡＮアダプタなどを採用することができる。
【００４４】
キーボード７１０は、文字、数字、各種指示などの入力のためのキーを備え、データの入力を行う。また、タッチパネル式の入力パッドやテンキーなどであってもよい。マウス７１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００４５】
スキャナ７１２は、画像を光学的に読み取り、端末装置１０３内に画像データを取り込む。なお、スキャナ７１２は、ＯＣＲ機能を持たせてもよい。また、プリンタ７１３は、画像データや文書データを印刷する。プリンタ７１３には、たとえば、レーザプリンタやインクジェットプリンタを採用することができる。
【００４６】
上述した図２に示す計器取替票の作成のための情報入力および印刷出力、図３のステップＳ３０５に示した計器ＫＭに対する計器設定の処理は、図７に記載のＣＰＵ７０１、ＲＯＭ７０２、ＲＡＭ７０３が実行する。この際に必要な設定情報と計器情報は、ＲＡＭ７０３やＨＤＤ７０４等に格納されており、設定時にこれらから読み出し、Ｉ／Ｆ７０９に接続されたケーブル１０４を介して計器ＫＭに出力（転送）される。また、計器取替票ＰＴは、図７に記載のプリンタ７１３から印刷出力される。端末装置１０３を操作して入力される入力項目２１０は、図７記載のディスプレイ７０８に表示され、キーボード７１０を介して入力される。
【００４７】
また、計器情報管理装置１０１についても、図７と同様のハードウェア構成であり説明を省略する。端末装置１０３を設けずとも、計器情報管理装置１０１が直接、計器ＫＭに対する計器設定を行う構成にもできる。上記説明では、計器情報管理装置１０１には、複数台の端末装置１０３がネットワーク１０２を介して接続され、端末装置１０３が複数の営業課に配置されることを前提として説明した。計器ＫＭに対する計器設定については、計器ＫＭからみてシステム側に位置する装置から行うものであればよく、計器情報管理装置１０１と端末装置１０３とを単一の装置で構成しても同様に計器ＫＭに対する計器設定を行うことができる。
【００４８】
以上説明したように、この発明によれば、計器の取り替え時に必要な計器に対する情報を誤設定することなく、簡単かつ適切に設定できるようになる。特に、計器に対する設定側の部門（上記例では営業課）と、計器を設置する部門（配電課）とが連携して行う業務
の一部における計器設定を迅速かつ適切に行えることにより、計器の取り替えにかかる全体の作業効率を向上できるようになる。また、上記実施の形態では、計器の取り替えについて説明したが、新たに設置する計器であっても同様に誤設定を防止して簡単かつ適切に計器の設定を行うことができる。
【００４９】
また、上記実施の形態の説明では、電力量計等の電気一般の計器に対する設定について説明したが、ほかにもガス、水道など使用量を検針する従量制の料金形態の各種計器に適用して同様の効果を得ることができるものである。
【００５０】
なお、本実施の形態で説明した計器設定にかかる方法は、あらかじめ用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【産業上の利用可能性】
【００５１】
以上のように、本発明にかかる計器設定装置、計器設定システムおよび計器設定プログラムは、計器に情報を適切に設定する用途に適しており、特に、複数の部門が関与して作業を行う契約変更、計器取り替えなどの際における情報管理を行うサーバやコンピュータシステムに適している。
【図面の簡単な説明】
【００５２】
【図１】この発明による計器設定システムの全体構成を示す図である。
【図２】計器取替票作成時に端末装置に表示される情報を示す図である。
【図３】本発明による計器取り替えの手順を示す図である。
【図４】この発明による計器取替票を示す図である。
【図５】計器設定時に端末装置に表示される情報（その１）を示す図である。
【図６】計器設定時に端末装置に表示される情報（その２）を示す図である。
【図７】この発明による計器設定装置のハードウェア構成を示すブロック図である。
【図８】従来の計器取り替えの手順を示す図である。
【図９】従来の計器取替票を示す図である。
【符号の説明】
【００５３】
１００  計器設定システム
１０１  計器情報管理装置
１０２  ネットワーク
１０３  端末装置
１０４  ケーブル
２００  表示画面
２１０  入力項目
７０１  ＣＰＵ
ＤＢ  データベース
ＫＭ  計器
ＰＴ  計器取替票
【図１】
2009150766.tif 000003
【図２】
2009150766.tif 000004
【図３】
2009150766.tif 000005
【図４】
2009150766.tif 000006
【図５】
2009150766.tif 000007
【図６】
2009150766.tif 000008
【図７】
2009150766.tif 000009
【図８】
2009150766.tif 000010
【図９】
2009150766.tif 000011